(57)【特許請求の範囲】
【請求項１】
電話回線に接続される親機と、親機と無線によって通信可能な複数の子機と、各子機を充電する１または複数の充電器とを含み、
各子機は、
優先呼出の設定要求を含む入力情報を入力するための入力部と、
充電器に子機が装着された状態では、その子機が装着状態であることを表す装着信号を出力し、充電器から子機が離脱された状態では、その子機が離脱状態であることを表す離脱信号を出力する着脱検出部と、
親機と無線通信するための子機通信部と、
呼出情報を報知する子機報知部と、
子機通信部によって呼出報知指令信号を親機から受信すると、子機報知部によって呼出情報を報知する子機制御部であって、着脱検出部から離脱信号を入力している状態で、優先呼出の設定要求が入力部から入力されると、子機通信部によって優先呼出の設定指令信号を親機に対して送信し、着脱検出部からの信号が離脱信号から装着信号に変化すると、子機通信部によって優先呼出の設定解除指令信号を親機に対して送信する子機制御部とを有し、
親機は、
各子機と無線通信するための子機用親機通信部と、
電話回線を介して外部と通信するための外部用親機通信部と、
子機に対する優先呼出が設定されている状態では、外部用親機通信部によって呼出信号を電話回線から受信すると、優先呼出が設定されている子機に対して子機用親機通信部によって呼出報知指令信号を送信し、優先呼出の設定が解除されている状態では、外部用親機通信部によって呼出信号を電話回線から受信すると、各子機に対して子機用親機通信部によって呼出報知指令信号を送信する親機制御部であって、子機用親機通信部によって優先呼出の設定指令信号を子機から受信すると、その子機に対する優先呼出を設定し、子機用親機通信部によって優先呼出の設定解除指令信号を子機から受信すると、その子機に対する優先呼出の設定を解除する親機制御部とを有することを特徴とする電話装置。
【請求項２】
親機は、呼出情報を報知する親機報知部をさらに有し、
親機制御部は、子機に対する優先呼出が設定されている状態では、親機報知部による呼出情報の報知を禁止し、優先呼出の設定が解除されている状態では、外部用親機通信部によって呼出信号を電話回線から受信すると、親機報知部によって呼出情報を報知することを特徴とする請求項１記載の電話装置。
【請求項３】
電話回線に接続される親機と、親機と無線によって通信可能な子機と、子機を充電する充電器とを含み、
子機は、
優先呼出の設定要求を含む入力情報を入力するための入力部と、
充電器に子機が装着された状態では、その子機が装着状態であることを表す装着信号を出力し、充電器から子機が離脱された状態では、その子機が離脱状態であることを表す離脱信号を出力する着脱検出部と、
親機と無線通信するための子機通信部と、
呼出情報を報知する子機報知部と、
子機通信部によって呼出報知指令信号を親機から受信すると、子機報知部によって呼出情報を報知する子機制御部であって、着脱検出部から離脱信号を入力している状態で、優先呼出の設定要求が入力部から入力されると、子機通信部によって優先呼出の設定指令信号を親機に対して送信し、着脱検出部からの信号が離脱信号から装着信号に変化すると、子機通信部によって優先呼出の設定解除指令信号を親機に対して送信する子機制御部とを有し、
親機は、
子機と無線通信するための子機用親機通信部と、
電話回線を介して外部と通信するための外部用親機通信部と、
呼出情報を報知する親機報知部と、
子機に対する優先呼出が設定されている状態では、親機報知部による呼出情報の報知を禁止し、外部用親機通信部によって呼出信号を電話回線から受信すると、子機に対して子機用親機通信部によって呼出報知指令信号を送信し、優先呼出の設定が解除されている状態では、外部用親機通信部によって呼出信号を電話回線から受信すると、親機報知部によって呼出情報を報知するとともに、子機に対して子機用親機通信部によって呼出報知指令信号を送信する親機制御部であって、子機用親機通信部によって優先呼出の設定指令信号を子機から受信すると、その子機に対する優先呼出を設定し、子機用親機通信部によって優先呼出の設定解除指令信号を子機から受信すると、その子機に対する優先呼出の設定を解除する親機制御部とを有することを特徴とする電話装置。
【請求項４】
子機は、子機に対する優先呼出の設定状態情報を記憶する子機記憶部をさらに有し、
子機制御部は、
着脱検出部から離脱信号を入力している状態で、優先呼出の設定要求が入力部から入力されると、子機通信部によって優先呼出の設定指令信号を送信するとともに、子機記憶部に記憶される優先呼出の設定状態情報を、優先呼出設定中を表す情報にし、
着脱検出部からの信号が離脱信号から装着信号に変化すると、（ａ）子機記憶部に記憶される優先呼出の設定状態情報が優先呼出設定中を表すとき、子機通信部によって優先呼出の設定解除指令信号を送信するとともに、優先呼出の設定状態情報を、優先呼出設定解除中を表す情報にし、（ｂ）子機記憶部に記憶される優先呼出の設定状態情報が優先呼出設定解除中を表すとき、子機通信部による優先呼出の設定解除指令信号の送信を禁止することを特徴とする請求項１〜３のいずれか１つに記載の電話装置。
【請求項５】
着脱検出部は、充電器による子機への電力の供給がある状態では、装着信号を出力し、充電器による子機への電力の供給がない状態では、離脱信号を出力することを特徴とする請求項１〜４のいずれか１つに記載の電話装置。
【発明の詳細な説明】
【技術分野】
【０００１】
本発明は、親機と子機とを含んで構成され、親機が電話回線に接続され、子機が親機と無線によって通信可能である電話装置に関する。
【背景技術】
【０００２】
従来の電話装置であるコードレス電話システムは、電話回線に接続される親機と、親機と無線によって通信可能な複数の子機とを含む。親機は、電話回線から呼出信号を受信すると、鳴動するとともに、各子機に対して呼出報知指令信号である鳴動信号を送信する。各子機は、親機から鳴動信号を受信すると、鳴動する。このようなコードレス電話システムでは、電話回線から呼出信号を受信すると、親機および全ての子機が鳴動する。
【０００３】
電話回線から呼出信号を受信したときに特定の子機だけが鳴動するようにしたい状況がある。このような状況であっても、前述のコードレス電話システムでは、特定の子機だけを選択的に鳴動させることができない。
【０００４】
特許文献１には、子機において設定操作を行った後、一定の時間の間に着信があると、その設定操作を行った子機のみに着信表示を行わせる技術が開示される。
【０００５】
特許文献１に開示される技術では、子機において設定操作を行った後、一定の時間を経過すると、設定は解除される。このような技術では、設定の解除のし忘れに伴う不具合を防止することができるけれども、設定を継続したいにも拘わらず、一定の時間を経過すると、その設定が解除されてしまい、使い勝手が悪いという問題がある。
【０００６】
【特許文献１】特開平５−１３６８５７号公報
【発明の開示】
【発明が解決しようとする課題】
【０００７】
本発明の目的は、的確なタイミングで子機に対する優先呼出の設定を解除することができ、使い勝手が向上された電話装置を提供することである。
【課題を解決するための手段】
【０００８】
本発明は、電話回線に接続される親機と、親機と無線によって通信可能な複数の子機と、各子機を充電する１または複数の充電器とを含み、
各子機は、
優先呼出の設定要求を含む入力情報を入力するための入力部と、
充電器に子機が装着された状態では、その子機が装着状態であることを表す装着信号を出力し、充電器から子機が離脱された状態では、その子機が離脱状態であることを表す離脱信号を出力する着脱検出部と、
親機と無線通信するための子機通信部と、
呼出情報を報知する子機報知部と、
子機通信部によって呼出報知指令信号を親機から受信すると、子機報知部によって呼出情報を報知する子機制御部であって、着脱検出部から離脱信号を入力している状態で、優先呼出の設定要求が入力部から入力されると、子機通信部によって優先呼出の設定指令信号を親機に対して送信し、着脱検出部からの信号が離脱信号から装着信号に変化すると、子機通信部によって優先呼出の設定解除指令信号を親機に対して送信する子機制御部とを有し、
親機は、
各子機と無線通信するための子機用親機通信部と、
電話回線を介して外部と通信するための外部用親機通信部と、
子機に対する優先呼出が設定されている状態では、外部用親機通信部によって呼出信号を電話回線から受信すると、優先呼出が設定されている子機に対して子機用親機通信部によって呼出報知指令信号を送信し、優先呼出の設定が解除されている状態では、外部用親機通信部によって呼出信号を電話回線から受信すると、各子機に対して子機用親機通信部によって呼出報知指令信号を送信する親機制御部であって、子機用親機通信部によって優先呼出の設定指令信号を子機から受信すると、その子機に対する優先呼出を設定し、子機用親機通信部によって優先呼出の設定解除指令信号を子機から受信すると、その子機に対する優先呼出の設定を解除する親機制御部とを有することを特徴とする電話装置である。
【０００９】
また本発明は、親機は、呼出情報を報知する親機報知部をさらに有し、
親機制御部は、子機に対する優先呼出が設定されている状態では、親機報知部による呼出情報の報知を禁止し、優先呼出の設定が解除されている状態では、外部用親機通信部によって呼出信号を電話回線から受信すると、親機報知部によって呼出情報を報知することを特徴とする。
【００１０】
また本発明は、電話回線に接続される親機と、親機と無線によって通信可能な子機と、子機を充電する充電器とを含み、
子機は、
優先呼出の設定要求を含む入力情報を入力するための入力部と、
充電器に子機が装着された状態では、その子機が装着状態であることを表す装着信号を出力し、充電器から子機が離脱された状態では、その子機が離脱状態であることを表す離脱信号を出力する着脱検出部と、
親機と無線通信するための子機通信部と、
呼出情報を報知する子機報知部と、
子機通信部によって呼出報知指令信号を親機から受信すると、子機報知部によって呼出情報を報知する子機制御部であって、着脱検出部から離脱信号を入力している状態で、優先呼出の設定要求が入力部から入力されると、子機通信部によって優先呼出の設定指令信号を親機に対して送信し、着脱検出部からの信号が離脱信号から装着信号に変化すると、子機通信部によって優先呼出の設定解除指令信号を親機に対して送信する子機制御部とを有し、
親機は、
子機と無線通信するための子機用親機通信部と、
電話回線を介して外部と通信するための外部用親機通信部と、
呼出情報を報知する親機報知部と、
子機に対する優先呼出が設定されている状態では、親機報知部による呼出情報の報知を禁止し、外部用親機通信部によって呼出信号を電話回線から受信すると、子機に対して子機用親機通信部によって呼出報知指令信号を送信し、優先呼出の設定が解除されている状態では、外部用親機通信部によって呼出信号を電話回線から受信すると、親機報知部によって呼出情報を報知するとともに、子機に対して子機用親機通信部によって呼出報知指令信号を送信する親機制御部であって、子機用親機通信部によって優先呼出の設定指令信号を子機から受信すると、その子機に対する優先呼出を設定し、子機用親機通信部によって優先呼出の設定解除指令信号を子機から受信すると、その子機に対する優先呼出の設定を解除する親機制御部とを有することを特徴とする電話装置である。
【００１１】
また本発明は、子機は、子機に対する優先呼出の設定状態情報を記憶する子機記憶部をさらに有し、
子機制御部は、
着脱検出部から離脱信号を入力している状態で、優先呼出の設定要求が入力部から入力されると、子機通信部によって優先呼出の設定指令信号を送信するとともに、子機記憶部に記憶される優先呼出の設定状態情報を、優先呼出設定中を表す情報にし、
着脱検出部からの信号が離脱信号から装着信号に変化すると、（ａ）子機記憶部に記憶される優先呼出の設定状態情報が優先呼出設定中を表すとき、子機通信部によって優先呼出の設定解除指令信号を送信するとともに、優先呼出の設定状態情報を、優先呼出設定解除中を表す情報にし、（ｂ）子機記憶部に記憶される優先呼出の設定状態情報が優先呼出設定解除中を表すとき、子機通信部による優先呼出の設定解除指令信号の送信を禁止することを特徴とする。
【００１２】
また本発明は、着脱検出部は、充電器による子機への電力の供給がある状態では、装着信号を出力し、充電器による子機への電力の供給がない状態では、離脱信号を出力することを特徴とする。
【発明の効果】
【００１３】
本発明によれば、各子機において、子機制御部は、子機通信部によって呼出報知指令信号を親機から受信すると、子機報知部によって呼出情報を報知する。親機制御部は、子機に対する優先呼出が設定されている状態では、外部用親機通信部によって呼出信号を電話回線から受信すると、優先呼出が設定されている子機に対して子機用親機通信部によって呼出報知指令信号を送信する。したがって子機に対する優先呼出が設定されている状態では、優先呼出が設定されている子機において、呼出情報が報知される。また親機制御部は、優先呼出の設定が解除されている状態では、外部用親機通信部によって呼出信号を電話回線から受信すると、各子機に対して子機用親機通信部によって呼出報知指令信号を送信する。したがって優先呼出の設定が解除されている状態では、各子機において、呼出情報が報知される。
【００１４】
子機制御部は、着脱検出部から離脱信号を入力している状態で、優先呼出の設定要求が入力部から入力されると、子機通信部によって優先呼出の設定指令信号を親機に対して送信する。親機制御部は、子機用親機通信部によって優先呼出の設定指令信号を子機から受信すると、その子機に対する優先呼出を設定する。このように優先呼出の設定要求が子機の入力部から入力されると、その子機に対する優先呼出が設定される。したがってユーザが所望するタイミングで、子機に対する優先呼出を設定することができる。
【００１５】
また子機制御部は、着脱検出部からの信号が離脱信号から装着信号に変化すると、子機通信部によって優先呼出の設定解除指令信号を親機に対して送信する。親機制御部は、子機用親機通信部によって優先呼出の設定解除指令信号を子機から受信すると、その子機に対する優先呼出の設定を解除する。このように着脱検出部からの信号が離脱信号から装着信号に変化すると、その子機に対する優先呼出の設定が解除される。したがって的確なタイミングで、子機に対する優先呼出の設定を解除することができる。
【００１６】
ユーザは、子機を使用するときは、その子機を充電器から離脱させる。ユーザは、子機の使用が終わると、その子機を充電器に装着し、充電器によってその子機を充電させる。このような点を踏まえて、本発明は、子機が充電器に装着されて、着脱検出部からの信号が離脱信号から装着信号に変化すると、その子機に対する優先呼出の設定が解除されるように構成される。このように設定が解除されるので、設定の解除のし忘れに伴う不具合を防止することができ、また子機使用中のため、設定を継続したいにも拘わらず、その設定が解除されてしまうという不具合を防止することができる。したがって的確なタイミングで、子機に対する優先呼出の設定を解除することができ、使い勝手を向上させることができる。
【００１７】
また本発明によれば、親機制御部は、子機に対する優先呼出が設定されている状態では、親機報知部による呼出情報の報知を禁止し、外部用親機通信部によって呼出信号を電話回線から受信すると、優先呼出が設定されている子機に対して子機用親機通信部によって呼出報知指令信号を送信する。したがって子機に対する優先呼出が設定されている状態では、優先呼出が設定されている子機において、呼出情報が報知される。また親機制御部は、優先呼出の設定が解除されている状態では、外部用親機通信部によって呼出信号を電話回線から受信すると、親機報知部によって呼出情報を報知するとともに、各子機に対して子機用親機通信部によって呼出報知指令信号を送信する。したがって優先呼出の設定が解除されている状態では、親機および各子機において、呼出情報が報知される。このように子機に対する優先呼出が設定されている状態では、親機において呼出情報が報知されないけれども、優先呼出の設定が解除されている状態では、親機においても呼出情報が報知されるので、利便性を向上させることができる。
【００１８】
また本発明によれば、子機において、子機制御部は、子機通信部によって呼出報知指令信号を親機から受信すると、子機報知部によって呼出情報を報知する。親機制御部は、子機に対する優先呼出が設定されている状態では、親機報知部による呼出情報の報知を禁止し、外部用親機通信部によって呼出信号を電話回線から受信すると、子機に対して子機用親機通信部によって呼出報知指令信号を送信する。したがって子機に対する優先呼出が設定されている状態では、子機において、呼出情報が報知される。また親機制御部は、優先呼出の設定が解除されている状態では、外部用親機通信部によって呼出信号を電話回線から受信すると、親機報知部によって呼出情報を報知するとともに、子機に対して子機用親機通信部によって呼出報知指令信号を送信する。したがって優先呼出の設定が解除されている状態では、親機および子機において、呼出情報が報知される。
【００１９】
子機制御部は、着脱検出部から離脱信号を入力している状態で、優先呼出の設定要求が入力部から入力されると、子機通信部によって優先呼出の設定指令信号を親機に対して送信する。親機制御部は、子機用親機通信部によって優先呼出の設定指令信号を子機から受信すると、その子機に対する優先呼出を設定する。このように優先呼出の設定要求が子機の入力部から入力されると、その子機に対する優先呼出が設定される。したがってユーザが所望するタイミングで、子機に対する優先呼出を設定することができる。
【００２０】
また子機制御部は、着脱検出部からの信号が離脱信号から装着信号に変化すると、子機通信部によって優先呼出の設定解除指令信号を親機に対して送信する。親機制御部は、子機用親機通信部によって優先呼出の設定解除指令信号を子機から受信すると、その子機に対する優先呼出の設定を解除する。このように着脱検出部からの信号が離脱信号から装着信号に変化すると、その子機に対する優先呼出の設定が解除される。したがって的確なタイミングで、子機に対する優先呼出の設定を解除することができる。
【００２１】
ユーザは、子機を使用するときは、その子機を充電器から離脱させる。ユーザは、子機の使用が終わると、その子機を充電器に装着し、充電器によってその子機を充電させる。このような点を踏まえて、本発明は、子機が充電器に装着されて、着脱検出部からの信号が離脱信号から装着信号に変化すると、その子機に対する優先呼出の設定が解除されるように構成される。このように設定が解除されるので、設定の解除のし忘れに伴う不具合を防止することができ、また子機使用中のため、設定を継続したいにも拘わらず、その設定が解除されてしまうという不具合を防止することができる。したがって的確なタイミングで、子機に対する優先呼出の設定を解除することができ、使い勝手を向上することができる。
【００２２】
また本発明によれば、子機制御部は、着脱検出部から離脱信号を入力している状態で、優先呼出の設定要求が入力部から入力されると、子機通信部によって優先呼出の設定指令信号を送信するとともに、子機記憶部に記憶される優先呼出の設定状態情報を、優先呼出設定中を表す情報にする。
【００２３】
子機記憶部に記憶される優先呼出の設定状態情報が優先呼出設定中を表すとき、子機制御部は、着脱検出部からの信号が離脱信号から装着信号に変化すると、子機通信部によって優先呼出の設定解除指令信号を送信するとともに、優先呼出の設定状態情報を、優先呼出設定解除中を表す情報にする。これに対して子機記憶部に記憶される優先呼出の設定状態情報が優先呼出設定解除中を表すとき、子機制御部は、子機通信部による優先呼出の設定解除指令信号の送信を禁止し、したがって着脱検出部からの信号が離脱信号から装着信号に変化しても、優先呼出の設定解除指令信号が送信されない。
【００２４】
このように子機記憶部に記憶される優先呼出の設定状態情報が優先呼出設定解除中を表すとき、子機通信部による優先呼出の設定解除指令信号の送信が禁止されるので、不要な信号の送信が省略される。これによって無駄な電力の消費を抑えることができる。
【００２５】
また本発明によれば、着脱検出部は、充電器による子機への電力の供給がある状態では、装着信号を出力し、充電器による子機への電力の供給がない状態では、離脱信号を出力する。このような着脱検出部は、既存の構成によって実現することができ、したがって充電器に対する子機の着脱を検出するための構成が別途、設けられる場合に比べて、子機の構成を簡素化することができる。
【発明を実施するための最良の形態】
【００２６】
図１は、本発明の実施の第１形態である電話装置１の構成を示す図である。本実施の形態の電話装置１は、コードレス電話システムによって実現される。電話装置１は、電話回線に接続される親機２と、親機２と無線によって通信可能な複数の子機３と、各子機３を充電する複数の充電器４とを含む。本実施の形態では、子機３と充電器４とは、一対一で対応する。各子機３には、これらの各子機３を識別するための識別情報である子機番号が割り当てられる。
【００２７】
図２は、電話装置１の電気的構成を示すブロック図である。各子機３の電気的構成は同一であるので、図２には、各子機３のうち１つについてだけ、その電気的構成を示す。各充電器４の電気的構成は同一であるので、図２には、各充電器４のうち１つについてだけ、その電気的構成を示す。子機３には、二次電池によって実現されるバッテリ１０が設けられる。子機３は、バッテリ１０からの電力によって駆動される。本実施の形態において、子機３を充電するとは、子機３に設けられるバッテリ１０を充電することをいう。
【００２８】
子機３は、子機記憶部である記憶部１１と、子機制御部である制御部１２と、入力部であるキー入力部１３と、着脱検出部である電源部１４と、子機通信部である無線送受信部１５と、電話回路１６と、スピーカ１７と、表示部１８と、通話用マイク１９と、通話用スピーカ２０とを有する。スピーカ１７および表示部１８は、子機報知部を構成する。
【００２９】
記憶部１１には、制御プログラムが記憶される。記憶部１１には、制御プログラム以外に、親機２との無線通信を制御するための無線通信プログラム、アプリケーションプログラムなどの各種プログラム、および電話番号とその使用者とを関連付けた電話帳データなどの各種データが、記憶される。本実施の形態では、記憶部１１には、子機３に対する優先呼出の設定状態情報がさらに記憶される。
【００３０】
制御部１２は、中央演算処理装置（Central Processing Unit、略称ＣＰＵ）によって実現される。制御部１２は、記憶部１１に記憶される制御プログラムに基づいて、子機３全体の制御を行う。
【００３１】
キー入力部１３は、優先呼出の設定要求を含む入力情報を入力するために設けられる。キー入力部１３は、電話番号を入力するためのダイヤルキー、内線通話のための内線キー、および各種機能を使用するためのファンクションキーを含む。本実施の形態では、キー入力部１３は、優先呼出の設定要求を入力するためのキーをさらに含む。
【００３２】
電源部１４は、接触端子を有する。電源部１４の接触端子は、充電器４に子機３が装着されたときに、充電器４の接触端子に電気的に接続される。電源部１４の接触端子と充電器４の接触端子とが電気的に接続されることによって、子機３に設けられるバッテリ１０が充電される。
【００３３】
電源部１４は、充電器４による子機３への電力の供給がある状態では、その子機３が装着状態であることを表す装着信号を出力し、充電器４による子機３への電力の供給がない状態では、その子機３が離脱状態であることを表す離脱信号を出力する。電源部１４は、接触端子における電圧値または電流値を検出することによって、充電器４による子機３への電力の供給の有無を検出する。電源部１４は、充電器４による子機３への電力の供給の有無を検出することによって、充電器４に対する子機３の着脱を検出する。このような電源部１４は、既存の構成によって実現することができ、したがって充電器４に対する子機３の着脱を検出するための構成が別途、設けられる場合に比べて、子機３の構成を簡素化することができる。
【００３４】
無線送受信部１５は、親機２と無線通信するために、アンテナ２１を介して信号を送信および受信する。無線送受信部１５は、送信すべき信号が、制御部１２および電話回路１６から与えられる。無線送受信部１５は、受信した信号を、制御部１２および電話回路１６に与える。
【００３５】
電話回路１６は、通話用マイク１９からの音声信号を変調して、変調した音声信号を無線送受信部１５に与える。また電話回路１６は、無線送受信部１５からの音声信号を復調して、復調した音声信号を通話用スピーカ２０に与える。
【００３６】
スピーカ１７は、呼出情報を報知するための呼出報知音を出力する。表示部１８は、液晶表示装置などによって実現される。表示部１８は、子機３の動作状態、操作メニュー、およびエラーメッセージなど、ユーザに対する各種情報を表示する。本実施の形態では、表示部１８は、呼出情報を報知するための呼出報知画像をさらに表示する。
【００３７】
通話用マイク１９は、ユーザの音声を取込み、音声信号として電話回路１６に与える。通話用スピーカ２０は、電話回路１６から与えられた音声信号を音声として出力する。
【００３８】
親機２は、親機記憶部である記憶部３１と、親機制御部である制御部３２と、キー入力部３３と、子機用親機通信部である無線送受信部３５と、外部用親機通信部である電話回路３６と、表示部３８と、通話用マイク３９と、通話用スピーカ４０とを有する。
【００３９】
記憶部３１には、制御プログラムが記憶される。記憶部３１には、制御プログラム以外に、子機３との無線通信を制御するための無線通信プログラム、アプリケーションプログラムなどの各種プログラム、および電話番号とその使用者とを関連付けた電話帳データなどの各種データが、記憶される。本実施の形態では、記憶部３１には、優先呼出の設定情報がさらに記憶される。
【００４０】
制御部３２は、ＣＰＵによって実現される。制御部３２は、記憶部３１に記憶される制御プログラムに基づいて、親機２全体の制御を行う。
【００４１】
キー入力部３３は、入力情報を入力するために設けられる。キー入力部３３は、電話番号を入力するためのダイヤルキー、内線通話のための内線キー、および各種機能を使用するためのファンクションキーを含む。
【００４２】
無線送受信部３５は、子機３と無線通信するために、アンテナ４１を介して信号を送信および受信する。無線送受信部３５は、送信すべき信号が、制御部３２および電話回路３６から与えられる。無線送受信部３５は、受信した信号を、制御部３２および電話回路３６に与える。
【００４３】
電話回路３６は、電話回線との接続インターフェースとして機能し、所定のプロトコルに則って外線通話における信号の送信および受信を行う。電話回路３６は、通話用マイク３９からの音声信号を変調して、変調した音声信号を、無線送受信部３５および電話回線に与える。また電話回路３６は、無線送受信部３５からの音声信号および電話回線からの音声信号を復調して、復調した音声信号を、通話用スピーカ４０に与える。
【００４４】
表示部３８は、液晶表示装置などによって実現される。表示部３８は、親機２の動作状態、操作メニュー、およびエラーメッセージなど、ユーザに対する各種情報を表示する。
【００４５】
通話用マイク３９は、ユーザの音声を取込み、音声信号として電話回路３６に与える。通話用スピーカ４０は、電話回路３６から与えられた音声信号を音声として出力する。通話用マイク３９および通話用スピーカ４０は、ハンドセットを構成する。
【００４６】
充電器４は、接触端子と、電源回路５１とを有する。電源回路５１は、商用交流電源５２からの電力を充電に用いるために、商用交流電源５２からの電力を、トランスおよび整流器などによって、充電に適した電圧値および電流値に調整する。
【００４７】
図３は、子機３の制御部１２による優先呼出の設定動作を説明するためのフローチャートである。子機３の制御部１２による優先呼出の設定動作は、電源部１４から離脱信号を入力している状態で、ユーザによってキー入力部１３が操作され、これによって優先呼出の設定要求がキー入力部１３から入力されると、開始される。
【００４８】
優先呼出の設定動作が開始されると、ステップａ１で、記憶部１１に記憶される優先呼出の設定状態情報を、優先呼出設定中を表す情報にし、ステップａ２に進む。ステップａ２では、無線送受信部１５によって優先呼出の設定指令信号を親機２に対して送信する。この後、優先呼出の設定動作が終了される。
【００４９】
本実施の形態では、ステップａ１で、記憶部１１に記憶される優先呼出の設定状態情報を、優先呼出設定中を表す情報にした後、ステップａ２で、無線送受信部１５によって優先呼出の設定指令信号を親機２に対して送信するけれども、この順序は逆であってもよい。この場合でも、同様の効果を達成することができる。
【００５０】
図４は、子機３の制御部１２による優先呼出の設定解除動作を説明するためのフローチャートである。子機３の制御部１２による優先呼出の設定解除動作は、電源部１４からの信号が離脱信号から装着信号に変化すると、開始される。
【００５１】
優先呼出の設定解除動作が開始されると、ステップｂ１で、記憶部１１に記憶される優先呼出の設定状態情報を読出し、ステップｂ２に進む。ステップｂ２では、優先呼出の設定状態情報が優先呼出設定中を表すか否かを判定する。
【００５２】
前記ステップｂ２において、優先呼出の設定状態情報が優先呼出設定中を表すと判定すると、ステップｂ３に進む。ステップｂ３では、記憶部１１に記憶される優先呼出の設定状態情報を、優先呼出設定解除中を表す情報にし、ステップｂ４に進む。ステップｂ４では、無線送受信部１５によって優先呼出の設定解除指令信号を親機２に対して送信する。この後、優先呼出の設定解除動作が終了される。
【００５３】
前記ステップｂ２において、優先呼出の設定状態情報が優先呼出設定解除中を表すと判定すると、無線送受信部１５による優先呼出の設定解除指令信号の送信を禁止する。したがって無線送受信部１５によって優先呼出の設定解除指令信号が送信されることなく、優先呼出の設定解除動作が終了される。
【００５４】
本実施の形態では、ステップｂ３で、記憶部１１に記憶される優先呼出の設定状態情報を、優先呼出設定解除中を表す情報にした後、ステップｂ４で、無線送受信部１５によって優先呼出の設定解除指令信号を親機２に対して送信するけれども、この順序は逆であってもよい。この場合でも、同様の効果を達成することができる。
【００５５】
図５は、親機２の制御部３２による優先呼出の設定および設定解除に関連する動作を説明するためのフローチャートである。親機２の制御部３２による優先呼出の設定および設定解除に関連する動作は、無線送受信部３５によって、優先呼出の設定および設定解除に関連する信号が受信されると、開始される。
【００５６】
優先呼出の設定および設定解除に関連する動作が開始されると、ステップｃ１で、優先呼出の設定および設定解除に関連する信号が、優先呼出の設定指令信号であるか否かを判定する。
【００５７】
前記ステップｃ１において、優先呼出の設定および設定解除に関連する信号が、優先呼出の設定指令信号であると判定すると、ステップｃ２に進む。ステップｃ２では、記憶部３１に記憶される優先呼出の設定情報を、優先呼出の設定指令信号を送信した送信元の子機３に対する優先呼出が設定されていることを表す情報にする。このとき記憶部３１には、優先呼出が設定されていることを表す情報と、前記送信元の子機３の子機番号とが、互いに関連付けられて、優先呼出の設定情報として記憶される。このようにして、前記送信元の子機３に対する優先呼出が設定される。この後、優先呼出の設定および設定解除に関連する動作が終了される。
【００５８】
前記ステップｃ１において、優先呼出の設定および設定解除に関連する信号が、優先呼出の設定解除指令信号であると判定すると、ステップｃ４に進む。ステップｃ４では、記憶部３１に記憶される優先呼出の設定情報を、優先呼出の設定が解除されていることを表す情報にする。このようにして、優先呼出の設定が解除される。この後、優先呼出の設定および設定解除に関連する動作が終了される。
【００５９】
図６は、親機２の制御部３２による着信動作を説明するためのフローチャートである。親機２の制御部３２による着信動作は、電話回路３６によって電話回線からの呼出信号が受信されると、開始される。
【００６０】
着信動作が開始されると、ステップｄ１で、記憶部３１に記憶される優先呼出の設定情報を読出し、ステップｄ２に進む。ステップｄ２では、優先呼出の設定情報に基づいて、優先呼出が設定されているか否かを判定する。
【００６１】
前記ステップｄ２において、優先呼出が設定されていると判定すると、ステップｄ３に進む。ステップｄ３では、優先呼出が設定されている子機３に対して、無線送受信部３５によって呼出報知指令信号を送信する。この後、呼出信号の受信が終了すると、着信動作が終了される。
【００６２】
前記ステップｄ２において、優先呼出の設定が解除されていると判定すると、ステップｄ５に進む。ステップｄ５では、各子機３に対して、無線送受信部３５によって呼出報知指令信号を送信する。この後、呼出信号の受信が終了すると、着信動作が終了される。
【００６３】
このような本実施の形態によれば、各子機３において、制御部１２は、無線送受信部１５によって呼出報知指令信号を親機２から受信すると、スピーカ１７によって呼出報知音を出力するとともに、表示部１８によって呼出報知画像を表示する。このようにして各子機３において、呼出情報が報知される。
【００６４】
親機２の制御部３２は、子機３に対する優先呼出が設定されている状態では、電話回路３６によって呼出信号を電話回線から受信すると、優先呼出が設定されている子機３に対して無線送受信部３５によって呼出報知指令信号を送信する。したがって子機３に対する優先呼出が設定されている状態では、優先呼出が設定されている子機３において、呼出情報が報知される。
【００６５】
また親機２の制御部３２は、優先呼出の設定が解除されている状態では、電話回路３６によって呼出信号を電話回線から受信すると、各子機３に対して無線送受信部３５によって呼出報知指令信号を送信する。したがって優先呼出の設定が解除されている状態では、各子機３において、呼出情報が報知される。
【００６６】
各子機３のうち１つで相手と通話中に、その通話が何らかの理由によって突然、切れた場合、たとえば相手が携帯電話機であり、無線障害によって通話が切れた場合、相手から電話の掛け直しを行う。このとき、全ての子機３において呼出情報が報知されると、通話に用いていた子機３とは異なる別の子機３と通話が成立するという不都合が起こることがあり、この場合、当初、通話に用いていた子機３への転送という手間を要するという問題がある。またこの場合、相手にとっても無駄な待ち時間を要し、余計な課金が発生するという問題がある。本実施の形態では、優先呼出が設定されることによって、前述の各問題を解決することができる。
【００６７】
またユーザが一時的に特定の場所から出ることができないときに、電話回線からの着信を受ける場合、ユーザがその場所へ子機３を持ち込むことがある。このとき、全ての子機３において呼出情報が報知されると、持ち込まれた子機３とは異なる別の子機３で、たとえば通話転送操作のできない子供が通話を成立させてしまうことがある。この場合、相手に迷惑をかけてしまうという問題がある。本実施の形態では、優先呼出が設定されることによって、前述の問題を解決することができる。
【００６８】
子機３の制御部１２は、電源部１４から離脱信号を入力している状態で、優先呼出の設定要求がキー入力部１３から入力されると、無線送受信部１５によって優先呼出の設定指令信号を親機２に対して送信する。親機２の制御部３２は、無線送受信部３５によって優先呼出の設定指令信号を子機３から受信すると、その子機３に対する優先呼出を設定する。このように優先呼出の設定要求が子機３のキー入力部１３から入力されると、その子機３に対する優先呼出が設定される。したがってユーザが所望するタイミングで、子機３に対する優先呼出を設定することができる。
【００６９】
また子機３の制御部１２は、電源部１４からの信号が離脱信号から装着信号に変化すると、無線送受信部１５によって優先呼出の設定解除指令信号を親機２に対して送信する。親機２の制御部３２は、無線送受信部３５によって優先呼出の設定解除指令信号を子機３から受信すると、その子機３に対する優先呼出の設定を解除する。このように電源部１４からの信号が離脱信号から装着信号に変化すると、その子機３に対する優先呼出の設定が解除される。したがって的確なタイミングで、子機３に対する優先呼出の設定を解除することができる。
【００７０】
ユーザは、子機３を使用するときは、その子機３を充電器４から離脱させる。ユーザは、子機３の使用が終わると、その子機３を充電器４に装着し、充電器４によってその子機３を充電させる。このような点を踏まえて、本実施の形態の電話装置１は、子機３が充電器４に装着されて、電源部１４からの信号が離脱信号から装着信号に変化すると、その子機３に対する優先呼出の設定が解除されるように構成される。このように設定が解除されるので、設定の解除のし忘れに伴う不具合を防止することができ、また子機３の使用中のため、設定を継続したいにも拘わらず、その設定が解除されてしまうという不具合を防止することができる。したがって的確なタイミングで、子機３に対する優先呼出の設定を解除することができ、使い勝手を向上させることができる。
【００７１】
また本実施の形態によれば、子機３の制御部１２は、電源部１４によって充電器４による子機３への電力の供給がないことが検出されている状態で、優先呼出の設定要求がキー入力部１３から入力されると、無線送受信部１５によって優先呼出の設定指令信号を送信するとともに、記憶部１１に記憶される優先呼出の設定状態情報を、優先呼出設定中を表す情報にする。
【００７２】
記憶部１１に記憶される優先呼出の設定状態情報が優先呼出設定中を表すとき、子機３の制御部１２は、電源部１４からの信号が離脱信号から装着信号に変化すると、無線送受信部１５によって優先呼出の設定解除指令信号を送信するとともに、優先呼出の設定状態情報を、優先呼出設定解除中を表す情報にする。これに対して記憶部１１に記憶される優先呼出の設定状態情報が優先呼出設定解除中を表すとき、子機３の制御部１２は、無線送受信部１５による優先呼出の設定解除指令信号の送信を禁止し、したがって電源部１４からの信号が離脱信号から装着信号に変化しても、優先呼出の設定解除指令信号が送信されない。
【００７３】
このように記憶部１１に記憶される優先呼出の設定状態情報が優先呼出設定解除中を表すとき、無線送受信部１５による優先呼出の設定解除指令信号の送信が禁止されるので、不要な信号の送信が省略される。これによって無駄な電力の消費を抑えることができる。
【００７４】
図７は、本発明の実施の第２形態である電話装置６１の電気的構成を示すブロック図である。本実施の形態の電話装置６１は、前述の第１形態の電話装置１に類似するので、同一の部分には同一の符号を付して、説明を省略する。本実施の形態では、親機２は、スピーカ３７をさらに有する。スピーカ３７は、呼出情報を報知するための呼出報知音を出力する。親機２の表示部３８は、呼出情報を報知するための呼出報知画像をさらに表示する。このような親機２のスピーカ３７および表示部３８によって、親機報知部が構成される。
【００７５】
図８は、親機２の制御部３２による着信動作を説明するためのフローチャートである。親機２の制御部３２による着信動作は、電話回路３６によって電話回線からの呼出信号が受信されると、開始される。
【００７６】
着信動作が開始されると、ステップｅ１で、記憶部３１に記憶される優先呼出の設定情報を読出し、ステップｅ２に進む。ステップｅ２では、優先呼出の設定情報に基づいて、優先呼出が設定されているか否かを判定する。
【００７７】
前記ステップｅ２において、優先呼出が設定されていると判定すると、ステップｅ３に進む。ステップｅ３では、スピーカ３７による呼出報知音の出力および表示部３８による呼出報知画像の表示を禁止し、優先呼出が設定されている子機３に対して、無線送受信部３５によって呼出報知指令信号を送信する。この後、呼出信号の受信が終了すると、着信動作が終了される。
【００７８】
前記ステップｅ２において、優先呼出の設定が解除されていると判定すると、ステップｅ５に進む。ステップｅ５では、スピーカ３７によって呼出報知音を出力するとともに、表示部３８によって呼出報知画像を表示し、さらに各子機３に対して、無線送受信部３５によって呼出報知指令信号を送信する。この後、呼出信号の受信が終了すると、着信動作が終了される。
【００７９】
このような本実施の形態によれば、親機２の制御部３２は、子機３に対する優先呼出が設定されている状態では、スピーカ３７による呼出報知音の出力および表示部３８による呼出報知画像の表示を禁止し、電話回路３６によって呼出信号を電話回線から受信すると、優先呼出が設定されている子機３に対して無線送受信部３５によって呼出報知指令信号を送信する。したがって子機３に対する優先呼出が設定されている状態では、優先呼出が設定されている子機３において、呼出情報が報知される。
【００８０】
また親機２の制御部３２は、優先呼出の設定が解除されている状態では、電話回路３６によって呼出信号を電話回線から受信すると、スピーカ３７によって呼出報知音を出力するとともに、表示部３８によって呼出報知画像を表示し、さらに各子機３に対して、無線送受信部３５によって呼出報知指令信号を送信する。したがって優先呼出の設定が解除されている状態では、親機２および各子機３において、呼出情報が報知される。
【００８１】
このように子機３に対する優先呼出が設定されている状態では、親機２において呼出情報が報知されないけれども、優先呼出の設定が解除されている状態では、親機２においても呼出情報が報知されるので、利便性を向上させることができる。また本実施の形態では、前述の第１形態と同様の効果を達成することができる。
【００８２】
前述の第２形態では、子機３は複数、存在するけれども、本発明の実施の第３形態では、子機３は１つだけであってもよい。この場合でも、前述の第２形態と同様の効果を達成することができる。
【００８３】
前述の実施の各形態は、本発明の例示に過ぎず、本発明の範囲内において構成を変更することができる。前述の第１および第２形態では、子機３と充電器４とが一対一で対応し、換言すれば、複数の子機３に対して同数の充電器４が存在するけれども、本発明の実施の第４形態では、充電器４の数が子機３の数よりも少なくてもよく、たとえば複数の子機３に対して充電器３が１つであってもよい。この場合には、充電器４に装着されない子機３に対して優先呼出が設定されたとき、ユーザによって子機３のキー入力部１３が操作されて、優先呼出の設定解除要求が入力されると、子機３の制御部１２は、無線送受信部１５によって優先呼出の設定解除指令信号を親機２に対して送信するように構成される。
【００８４】
また前述の実施の各形態では、電源部１４の接触端子と充電器４の接触端子とが電気的に接続されるけれども、本発明の実施の第５形態では、無接点充電方式であってもよい。一例として述べると、充電器４には一次コイルが設けられ、子機３には二次コイルが設けられ、充電器４の一次コイルと子機３の二次コイルとが、電磁誘導によって電気的に接続されてもよい。この場合、電源部１４は、たとえば二次コイルからの出力の出力値を検出することによって、充電器４による子機３への電力の供給の有無を検出し、これによって充電器４に対する子機３の着脱を検出する。このような本実施の形態でも、前述の実施の各形態と同様の効果を達成することができる。
【図面の簡単な説明】
【００８５】
【図１】本発明の実施の第１形態である電話装置１の構成を示す図である。
【図２】電話装置１の電気的構成を示すブロック図である。
【図３】子機３の制御部１２による優先呼出の設定動作を説明するためのフローチャートである。
【図４】子機３の制御部１２による優先呼出の設定解除動作を説明するためのフローチャートである。
【図５】親機２の制御部３２による優先呼出の設定および設定解除に関連する動作を説明するためのフローチャートである。
【図６】親機２の制御部３２による着信動作を説明するためのフローチャートである。
【図７】本発明の実施の第２形態である電話装置６１の電気的構成を示すブロック図である。
【図８】親機２の制御部３２による着信動作を説明するためのフローチャートである。
【符号の説明】
【００８６】
１，６１  電話装置
２  親機
３  子機
４  充電器
１１  子機３の記憶部
１２  子機３の制御部
１３  子機３のキー入力部
１４  子機３の電源部
１５  子機３の無線送受信部
１６  子機３の電話回路
１７  子機３のスピーカ
１８  子機３の表示部
３１  親機２の記憶部
３２  親機２の制御部
３５  親機２の無線送受信部
３６  親機２の電話回路
３７  親機２のスピーカ
３８  親機２の表示部
５１  電源回路
【図１】
0004421572.tif 000002
【図２】
0004421572.tif 000003
【図３】
0004421572.tif 000004
【図４】
0004421572.tif 000005
【図５】
0004421572.tif 000006
【図６】
0004421572.tif 000007
【図７】
0004421572.tif 000008
【図８】
0004421572.tif 000009